【事件の表示】
　平成　７年特許願第３０５９３２号「薬液入り容器の払出装置」拒絶査定に対する審判事件［平成　８年　８月１３日出願公開、特開平　８−２０８０３９］について、次のとおり審決する。
【結　論】
　本件審判の請求は、成り立たない。
【理　由】
１．手続の経緯・本願発明
　本願は、平成４年２月１７日に出願した特願平４−２９５２２号の一部を平成７年１１月２４日に新たな特許出願としたものであって、その請求項１に係る発明は、平成１１年１１月２２日付け，平成１４年１０月２８日付けの手続補正書により補正された明細書及び図面の記載からみて、その特許請求の範囲の請求項１に記載された次のとおりのものと認める。（以下、「本願発明」という。）
「複数種類の薬液入り容器Ａをその種類毎にそれぞれ容器収納カセット１３に収納し、注射箋の指示に基づいて、その各収納カセット１３から薬液入り容器Ａを取出し集める薬液入り容器の払出装置において、
　筐体１に上記収納カセット１３を取外し自在に収納して、前記筐体１の内部を冷却する冷却手段を備え、筐体１内部の、冷却が必要な収納カセット１３を収納する部分を仕切板４で仕切り、その内部に前記冷却手段から冷気を送り込んで容器収納カセット１３に収納された薬液入り容器Ａを品質保持のため冷蔵保存し、各収納カセット１３から、薬液入り容器Ａを注射箋の指示に基づいて払出すように構成したことを特徴とする薬液入り容器の払出装置。」
　
２．引用例記載の発明
　これに対して、当審における、平成１４年８月２３日付けで通知した拒絶の理由に引用した特開平２−２８４０６号公報（以下、「引用例」という。）には、次の事項が記載されている。
（１）「本発明は、上記目的を達成するために、処方箋に従って各種のアンプルを組み合わせてセット可能な注射アンプル自動供給装置において、各種の注射アンプルをストックする複数列からなるカートリッジと、該ストックされた注射アンプルを各カートリッジの先端部から落下させ、・・・該第２のベルトコンベアから注射アンプルを組み合わせ単位で整列させ、セットするステージとを設けるようにしたものである。」（第２頁右上欄第４〜２０行）
（２）「図中、Ａは注射アンプル自動供給装置本体であり、１はＬＬサイズの注射アンプル（以下、単にアンプルという）をストックするカートリッジ、２はＬサイズのアンプルをストックするカートリッジ、３はＭサイズのアンプルをストックするカートリッジ、４はＳサイズのアンプルをストックするカートリッジ、５乃至８はその各カートリッジの先端部に設けられるゲート、９はアンプルである。」（第２頁右下欄第１７行〜第３頁左上欄第５行）
（３）「また、各サイズのカートリッジ１乃至４は水平方向に、複数列（第１図参照）配設されている。・・・また、カートリッジＣの一番後方では制御部Ｂからの処方箋に従った指令により選択されたアンプルを排出するために、その選択されたアンプルに対応するゲート５乃至８が開かれる。」（第３頁左下欄第１〜１１行）
（４）「図中、１００はカートリッジの前面パネルであり、第１０図に示すように、この前面パネルにはアンプル名の表示プレート１００ａ、アンプルの残数量表示装置１００ｂ、アンプルの補充アラーム装置１００ｃなどを設ける。１０１は把手、」（第４頁左上欄第１７行〜同頁右上欄第１行）
（５）「次に、カートリッジＣに要求されるアンプルが存在しない場合（ステップＳ６）には、アンプルの補充を行う（ステップＳ７）。」（第５頁左下欄第１９行〜同頁右下欄第１行）
　
　これらの記載事項によると、引用例には、
「複数種類の注射アンプル９をその種類毎にそれぞれカートリッジ１〜４に収納し、処方箋の指示に基づいて、その各カートリッジ１〜４から注射アンプル９を取出し集める注射アンプル自動供給装置において、
　注射アンプル自動供給装置本体Ａに上記カートリッジ１〜４を引出し自在に収納して、各カートリッジ１〜４から、注射アンプル９を処方箋の指示に基づいて払出すように構成した注射アンプル自動供給装置。」
の発明（以下、「引用例記載の発明」という。）が記載されていると認められる。
　
３．対比
　本願発明と引用例記載の発明とを対比すると、引用例記載の発明の「注射アンプル９」は、その機能からみて、本願発明の「薬液入り容器Ａ」に相当し、以下同様にして、「カートリッジ１〜４」は「容器収納カセット１３」に、「処方箋」は「注射箋」に、「注射アンプル自動供給装置」は「薬液入り容器の払出装置」に、「注射アンプル自動供給装置本体Ａ」は「筐体１」に、それぞれ相当する。
　してみると、両者は、
「複数種類の薬液入り容器をその種類毎にそれぞれ容器収納カセットに収納し、注射箋の指示に基づいて、その各収納カセットから薬液入り容器を取出し集める薬液入り容器の払出装置において、
　筐体に上記収納カセットを収納して、各収納カセットから、薬液入り容器を注射箋の指示に基づいて払出すように構成した薬液入り容器の払出装置。」
の点で一致し、次の点１，２で相違する。
〔相違点１〕
　本願発明は、筐体に容器収納カセットを取外し自在に収納しているのに対し、引用例記載の発明は、筐体に容器収納カセットを引出し自在に収納している点。
〔相違点２〕
　本願発明は、筐体の内部を冷却する冷却手段を備え、筐体内部の、冷却が必要な収納カセットを収納する部分を仕切板で仕切り、その内部に前記冷却手段から冷気を送り込んで容器収納カセットに収納された薬液入り容器を品質保持のため冷蔵保存したのに対し、引用例記載の発明は、この点を備えていない点。
　
４．当審の判断
　上記〔相違点１〕，〔相違点２〕について検討する。
〔相違点１〕の検討
　筐体に設けられた中空の収容部に引出し体を取り外し自在に収納することは、種々の技術分野（一例として、箪笥や机の引出し）で慣用される周知事項である。
　してみると、引用例記載の発明の「筐体に引出し自在に収納する容器収納カセット」を取外し自在とする程度のことは、当業者が適宜なし得る設計的事項にすぎないものと認められる。
〔相違点２〕の検討
　品質保持のため冷蔵保存する必要がある薬液入り容器を、冷蔵庫のような冷却手段を備えた筐体の内部に冷蔵保存することは、一般的に行われる周知事項である。また、品質保持のため冷蔵保存する必要がある物品を、保管庫に冷蔵保存することも、一般的に行われる周知事項〈必要なら、当審における、平成１４年８月２３日付けで通知した拒絶の理由に引用した、実願昭５０−９６５２４号（実開昭５２−１０３９４号）のマイクロフィルム，実願昭６３−１１６６０９号（実開平２−３８６８３号）のマイクロフィルム，特開昭６２−３６２０２号公報、参照。〉である。
　してみると、引用例記載の発明において、筐体の内部を冷却する冷却手段を備えるようにして、筐体内部の容器収納カセットに収納された薬液入り容器を品質保持のため冷蔵保存するように構成することは、当業者が格別困難なく想到し得るものと認められる。
　そして、引用例記載の発明において、筐体の内部を冷却する冷却手段を備えるに当たり、筐体内部の、冷却が必要な収納カセットを収納する部分を仕切板で仕切り、その内部に前記冷却手段から冷気を送り込むようにすることは、「冷却手段を備えた保管庫において、保管庫内部の、冷却が必要な物品収納エリアを仕切板で仕切り、その内部に前記冷却手段から冷気を送り込む」ことが、一般的に行われる周知事項〈必要なら、当審における、平成１４年８月２３日付けで通知した拒絶の理由に引用した、実願昭５０−９６５２４号（実開昭５２−１０３９４号）のマイクロフィルム，実願昭６３−１１６６０９号（実開平２−３８６８３号）のマイクロフィルム、参照。〉であることからみて、当業者が適宜なし得る設計的事項にすぎないものと認められる。
　
５．むすび
　したがって、本願発明は、引用例記載の発明，及び周知事項に基いて当業者が容易に発明をすることができたものであるので、特許法第２９条第２項の規定により特許を受けることができない。
　よって、結論のとおり審決する。